(57)【特許請求の範囲】
【請求項１】
所定の箇所における空気の基準圧の計測に使用する基準圧計測補助具において、
前記基準圧計測補助具が、一方向へ長い長尺の可撓性を有する中空管から形成され、前記中空管が、空気第１出入口を備えた検出端部と、前記検出端部の反対側に位置して空気第２出入口を備えた接続端部と、前記検出端部と前記接続端部との間に位置してコイル状に巻かれた中間部とを有し、
前記中空管の検出端部の先端から接続端部の後端までの長さが、５０〜５００ｍの範囲にあり、前記検出端部と前記コイル状に巻かれた中間部とが、空気流通窓を有して建造物近傍の屋外または建造物の屋内に設置される通気性の筐体内部に収容され、前記中空管の接続端部が、前記筐体から外側に露出し、
前記基準圧計測補助具では、前記検出端部と前記中間部と前記接続端部とにおいて気圧の伝達が遮断されないように前記中空管の検出端部とコイル状に巻かれた中間部とが前記筐体の内部に設置され、前記中空管内部の圧力抵抗によって該中空管内部の静圧が前記検出端部から前記接続端部に向かって次第に安定することを特徴とする基準圧計測補助具。
【請求項２】
前記筐体が、互いに対向する頂底壁と前記頂底壁の間に延びる各側壁とから形成された六面体の箱であり、前記筐体では、前記空気流通窓が前記側壁に作られ、一方の前記空気流通窓から進入した空気が他方の該空気流通窓から外部に流出する請求項１に記載の基準圧計測補助具。
【請求項３】
前記中空管の検出端部が、前記コイル状に巻かれた中間部から少なくとも２つに分岐し、それら検出端部と前記コイル状に巻かれた中間部とが、前記筐体内部に収容されている請求項１または請求項２に記載の基準圧計測補助具。
【請求項４】
前記中空管が、前記接続端部から分岐する少なくとも２つの前記コイル状に巻かれた中間部と、それら中間部につながる少なくとも２つの前記検出端部とを有し、一方の前記検出端部と一方の前記コイル状に巻かれた中間部とが、一方の前記筐体内部に収容され、他方の前記検出端部と他方の前記コイル状に巻かれた中間部とが、他方の前記筐体内部に収容されている請求項１ないし請求項３いずれかに記載の基準圧計測補助具。
【請求項５】
前記筐体の一方が、第１の方角における屋外に設置され、前記筐体の他方が、前記第１の方角とは反対の第２の方角における屋外に設置され、前記検出端部の一方が、前記第１の方角における屋外に設置され、前記検出端部の他方が、前記第２の方角における屋外に設置されている請求項４に記載の基準圧計測補助具。
【請求項６】
前記中空管の検出端部が、閉塞先端と前記閉塞先端から続く周側面とを有し、前記空気第１出入口が、前記周側面に形成されている請求項１ないし請求項５いずれかに記載の基準圧計測補助具。
【請求項７】
前記空気第１出入口が、前記周側面に複数個形成され、前記空気第１出入口の開口面積が、１０〜２０ｍｍ２の範囲にある請求項６に記載の基準圧計測補助具。
【請求項８】
前記基準圧計測補助具が、前記中空管の接続端部に接続されて該中空管内部の静圧を検出する検出機器を含み、前記検出機器では、前記中空管の基準圧がリアルタイムで連続的に測定される請求項１ないし請求項７いずれかに記載の基準圧計測補助具。
【請求項９】
前記中空管の検出端部と接続端部と中間部と内径が、４〜２０ｍｍの範囲にある請求項１ないし請求項８いずれかに記載の基準圧計測補助具。
【請求項１０】
前記中空管は、前記検出端部と前記接続端部との圧力差±１０〜±１５０Ｐａの範囲における該検出端部近傍の気圧変動に対して中空管内部の静圧を安定させる請求項１ないし請求項９いずれかに記載の基準圧計測補助具。
【請求項１１】
所定の箇所における空気の基準圧を計測する基準圧計測方法において、
前記基準圧計測方法が、一方向へ長い長尺の可撓性を有する中空管を使用し、前記中空管が、空気第１出入口を備えた検出端部と、前記検出端部の反対側に位置して空気第２出入口を備えた接続端部と、前記検出端部と前記接続端部との間に位置してコイル状に巻かれた中間部とを有し、
前記中空管の検出端部の先端から接続端部の後端までの長さが、５０〜５００ｍの範囲にあり、前記検出端部と前記コイル状に巻かれた中間部とが、空気流通窓を有して建造物近傍の屋外または建造物の屋内に設置される通気性の筐体内部に収容され、前記中空管の接続端部が、前記筐体から外側に露出し、
前記基準圧計測方法では、前記検出端部と前記中間部と前記接続端部とにおいて気圧の伝達が遮断されないように前記中空管の検出端部とコイル状に巻かれた中間部とが前記筐体の内部に設置され、前記中空管内部の圧力抵抗によって該中空管内部の静圧が前記検出端部から前記接続端部に向かって次第に安定することを特徴とする基準圧計測方法。
【請求項１２】
前記基準圧計測方法では、前記筐体が互いに対向する頂底壁と前記頂底壁の間に延びる各側壁とから形成された六面体の箱であり、前記空気流通窓が前記側壁に作られ、一方の前記空気流通窓から進入した空気が他方の該空気流通窓から外部に流出する請求項１１に記載の基準圧計測方法。
【請求項１３】
前記基準圧計測方法では、前記中空管の検出端部が中間部から少なくとも２つに分岐し、それら検出端部と前記コイル状に巻かれた中間部とが前記筐体内部に収容されている請求項１１または請求項１２に記載の基準圧計測方法。
【請求項１４】
前記基準圧計測方法では、前記中空管が接続端部から分岐する少なくとも２つの前記コイル状に巻かれた中間部とそれら中間部につながる少なくとも２つの検出端部とを有し、一方の前記検出端部と一方の前記コイル状に巻かれた中間部とが一方の前記筐体内部に収容され、他方の前記検出端部と他方の前記コイル状に巻かれた中間部とが他方の前記筐体内部に収容されている請求項１１ないし請求項１３いずれかに記載の基準圧計測方法。
【請求項１５】
前記基準圧計測方法では、前記筐体の一方が第１の方角における屋外に設置され、前記筐体の他方が前記第１の方角とは反対の第２の方角における屋外に設置され、前記検出端部の一方が前記第１の方角における屋外に設置され、前記検出端部の他方が前記第２の方角における屋外に設置されている請求項１４に記載の基準圧計測方法。
【請求項１６】
前記基準圧計測方法では、前記検出端部が閉塞先端と該閉塞先端から続く周側面とを有し、前記空気第１出入口が前記周側面に形成されている請求項１１ないし請求項１５いずれかに記載の基準圧計測方法。
【請求項１７】
前記基準圧計測方法では、前記空気第１出入口が前記周側面に複数個形成され、前記空気第１出入口の開口面積が１０〜２０ｍｍ２の範囲にある請求項１６に記載の基準圧計測方法。
【請求項１８】
前記基準圧計測方法では、前記中空管の内部の静圧を検出する検出機器が該中空管の接続端部に接続され、前記検出機器が前記中空管の基準圧をリアルタイムで連続的に測定する請求項１１ないし請求項１７いずれかに記載の基準圧計測方法。
【請求項１９】
前記中空管の検出端部と接続端部と中間部と内径が４〜２０ｍｍの範囲にある請求項１１ないし請求項１８いずれかに記載の基準圧計測方法。
【請求項２０】
前記中空管は、前記検出端部と前記接続端部との圧力差±１０〜±１５０Ｐａの範囲における該検出端部近傍の気圧変動に対して中空管内部の静圧を安定させる請求項１１ないし請求項１９いずれかに記載の基準圧計測方法。
【発明の詳細な説明】
【技術分野】
【０００１】
本発明は、所定の箇所における空気の基準圧の計測に使用する基準圧計測補助具および所定の箇所における空気の基準圧を計測する基準圧計測方法に関する。
【背景技術】
【０００２】
空気取り入れ用に設置されるダクトの中間部にベンチュリ流量計を備え、ダクトの上端部に裾空きのフードをそのフードの下端縁部がダクトの上端縁より下になるように被せた形で取り付け、ダクトのフードの下端縁部よりも上の部分に全周にわたって仕切り板を取り付けるとともに、ダクトの上端縁に内側に傾斜する傾斜板を取り付けた空気取り入れ用吸気筒がある（特許文献１参照）。この空気取り入れ用吸気筒は、外気圧が大きく変動したとしても、それによってベンチュリ流量計の計測値が真の値から外れるという不具合を解消することができ、吸気筒からの空気取り入れ流量の計測値を真の流量に一致させることができる。
【先行技術文献】
【特許文献】
【０００３】
【特許文献１】特開平１０−１６０５３１号公報
【発明の概要】
【発明が解決しようとする課題】
【０００４】
前記公報に開示の空気取り入れ用吸気筒は、外気の大きな変動に対してベンチュリ流量計の計測値を真の値に保持することはできるが、吸気筒の空気圧の振幅の変動を小さくすることができず、さらに、吸気筒の空気圧の周期を長くすることができないから、外気が変動した場合における吸気筒内部の静圧を安定させることができない。静圧を安定化させることができないと、所定の箇所における空気の基準圧の不規則かつ急激な変化を防ぐことができず、その基準圧を利用した制御装置の制御動作に誤作動や過作動が生じる場合がある。
【０００５】
本発明の目的は、屋外気圧の変動に対して屋内静圧を安定化させることができ、所定の箇所における空気の基準圧の不規則かつ急激な変化を防ぐことができる基準圧計測補助具および基準圧計測方法を提供することにある。
【課題を解決するための手段】
【０００６】
前記課題を解決するための本発明の第１の前提は、所定の箇所における空気の基準圧の計測に使用する基準圧計測補助具である。
【０００７】
前記第１の前提における基準圧計測補助具の特徴は、基準圧計測補助具が一方向へ長い長尺の可撓性を有する中空管から形成され、中空管が、空気第１出入口を備えた検出端部と、検出端部の反対側に位置して空気第２出入口を備えた接続端部と、検出端部と接続端部との間に位置してコイル状に巻かれた中間部とを有し、中空管の検出端部の先端から接続端部の後端までの長さが５０〜５００ｍの範囲にあり、検出端部とコイル状に巻かれた中間部とが空気流通窓を有して建造物近傍の屋外または建造物の屋内に設置される通気性の筐体内部に収容され、中空管の接続端部が筐体から外側に露出し、基準圧計測補助具では、検出端部と中間部と接続端部とにおいて気圧の伝達が遮断されないように中空管の検出端部とコイル状に巻かれた中間部とが筐体の内部に設置され、中空管内部の圧力抵抗によって中空管内部の静圧が検出端部から接続端部に向かって次第に安定することにある。
【０００８】
基準圧計測補助具の一例としては、筐体が互いに対向する頂底壁と頂底壁の間に延びる各側壁とから形成された六面体の箱であり、筐体では、空気流通窓が側壁に作られ、一方の空気流通窓から進入した空気が他方の空気流通窓から外部に流出する。
【０００９】
基準圧計測補助具の他の一例としては、中空管の検出端部がコイル状に巻かれた中間部から少なくとも２つに分岐し、それら検出端部とコイル状に巻かれた中間部とが筐体内部に収容されている。
【００１０】
基準圧計測補助具の他の一例としては、中空管が接続端部から分岐する少なくとも２つのコイル状に巻かれた中間部と、それら中間部につながる少なくとも２つの検出端部とを有し、一方の検出端部と一方のコイル状に巻かれた中間部とが一方の筐体内部に収容され、他方の検出端部と他方のコイル状に巻かれた中間部とが他方の筐体内部に収容されている。
【００１１】
基準圧計測補助具の他の一例としては、筐体の一方が第１の方角における屋外に設置され、筐体の他方が第１の方角とは反対の第２の方角における屋外に設置され、検出端部の一方が第１の方角における屋外に設置され、検出端部の他方が第２の方角における屋外に設置されている。
【００１２】
基準圧計測補助具の他の一例としては、中空管の検出端部が閉塞先端と閉塞先端から続く周側面とを有し、空気第１出入口が周側面に形成されている。
【００１３】
基準圧計測補助具の他の一例としては、空気第１出入口が周側面に複数個形成され、空気第１出入口の開口面積が１０〜２０ｍｍ２の範囲にある。
【００１４】
基準圧計測補助具の他の一例としては、基準圧計測補助具が中空管の接続端部に接続されて中空管内部の静圧を検出する検出装置を含み、検出装置では、中空管の基準圧がリアルタイムで連続的に測定される。
【００１５】
基準圧計測補助具の他の一例としては、中空管の検出端部と接続端部と中間部と内径が４〜２０ｍｍの範囲にある。
【００１６】
基準圧計測補助具の他の一例として、中空管は、検出端部と接続端部との圧力差±１０〜±１５０Ｐａの範囲における検出端部近傍の気圧変動に対して中空管内部の静圧を安定させる。
【００１７】
前記課題を解決するための本発明の第２の前提は、所定の箇所における空気の基準圧を計測する基準圧計測方法である。
【００１８】
前記第２の前提における基準圧計測方法の特徴は、基準圧計測方法が一方向へ長い長尺の可撓性を有する中空管を使用し、中空管が、空気第１出入口を備えた検出端部と、検出端部の反対側に位置して空気第２出入口を備えた接続端部と、検出端部と接続端部との間に位置してコイル状に巻かれた中間部とを有し、中空管の検出端部の先端から接続端部の後端までの長さが５０〜５００ｍの範囲にあり、検出端部とコイル状に巻かれた中間部とが空気流通窓を有して建造物近傍の屋外または建造物の屋内に設置される通気性の筐体内部に収容され、中空管の接続端部が筐体から外側に露出し、基準圧計測方法では、検出端部と中間部と接続端部とにおいて気圧の伝達が遮断されないように中空管の検出端部とコイル状に巻かれた中間部とが筐体の内部に設置され、中空管内部の圧力抵抗によって中空管内部の静圧が検出端部から接続端部に向かって次第に安定することにある。
【００１９】
基準圧計測方法の一例としては、筐体が互いに対向する頂底壁と頂底壁の間に延びる各側壁とから形成された六面体の箱であり、空気流通窓が側壁に作られ、一方の空気流通窓から進入した空気が他方の空気流通窓から外部に流出する。
【００２０】
基準圧計測方法の他の一例としては、中空管の検出端部が中間部から少なくとも２つに分岐し、それら検出端部とコイル状に巻かれた中間部とが筐体内部に収容されている。
【００２１】
基準圧計測方法の他の一例としては、中空管が接続端部から分岐する少なくとも２つのコイル状に巻かれた中間部とそれら中間部につながる少なくとも２つの検出端部とを有し、一方の検出端部と一方のコイル状に巻かれた中間部とが一方の筐体内部に収容され、他方の検出端部と他方のコイル状に巻かれた中間部とが他方の筐体内部に収容されている。
【００２２】
基準圧計測方法の他の一例としては、筐体の一方が第１の方角における屋外に設置され、筐体の他方が第１の方角とは反対の第２の方角における屋外に設置され、検出端部の一方が第１の方角における屋外に設置され、検出端部の他方が前記第２の方角における屋外に設置されている。
【００２３】
基準圧計測方法の他の一例としては、検出端部が閉塞先端と閉塞先端から続く周側面とを有し、空気第１出入口が周側面に形成されている。
【００２４】
基準圧計測方法の他の一例としては、空気第１出入口が周側面に複数個形成され、空気第１出入口の開口面積が１０〜２０ｍｍ２の範囲にある。
【００２５】
基準圧計測方法の他の一例としては、中空管の内部の静圧を検出する検出機器が中空管の接続端部に接続され、検出機器が中空管の基準圧をリアルタイムで連続的に測定する。
【００２６】
基準圧計測方法の他の一例としては、中空管の検出端部と接続端部と中間部と内径が４〜２０ｍｍの範囲にある。
【００２７】
基準圧計測方法の他の一例として、中空管は、検出端部と接続端部との圧力差±１０〜±１５０Ｐａの範囲における検出端部近傍の気圧変動に対して中空管内部の静圧を安定させる。
【発明の効果】
【００２８】
本発明にかかる基準圧計測補助具および基準圧計測方法によれば、所定の箇所における空気の基準圧の計測に一方向へ長い長尺の可撓性を有する中空管が使用され、風の影響によって空気第１出入口を備えた検出端部の近傍の気圧が変動したとしても、中空管の内部の圧力抵抗によって気圧の変動に対する中空管内部における静圧の振幅の変動が検出端部から接続端部に向かって次第に小さくなるとともに、気圧の変動に対する中空管内部における静圧の周期が検出端部から接続端部に向かって次第に長くなるから、屋外気圧の変動に対して中空管内部の静圧を安定化させることができ、計測した基準圧の不規則かつ急激な変化を防ぐことができる。基準圧計測補助具および基準圧計測方法は、空気第１出入口を備えた検出端部の近傍において気圧が変動したとしても、安定した基準圧を計測することができるから、基準圧が不規則かつ急激に変化することによる制御動作の誤作動や過作動を防止することができる。基準圧計測補助具および基準圧計測方法は、中空管の中間部がコイル状に巻かれており、中空管の中間部をコイル状に巻くことによって長尺の中空管をコンパクトにすることができるから、場所を取らずに中空管を所定の箇所に設置することができる。基準圧計測補助具および基準圧計測方法は、風の影響によって空気第１出入口を備えた検出端部の近傍の気圧が変動したとしても、コイル状に巻かれた中空管の内部の圧力抵抗によって気圧の変動に対する中空管内部における静圧の振幅の変動が検出端部から接続端部に向かって次第に小さくなるとともに、気圧の変動に対する中空管内部における静圧の周期が検出端部から接続端部に向かって次第に長くなるから、屋外気圧の変動に対して中空管内部の静圧を安定化させることができ、計測した基準圧の不規則かつ急激な変化を防ぐことができ、安定した基準圧を計測することができる。基準圧計測補助具および基準圧計測方法は、中空管の検出端部とコイル状に巻かれた中間部とが空気流通窓を有する通気性の筐体内部に収容され、中空管の接続端部が筐体から露出しているから、検出端部と中間部とが筐体に収容されていない場合と比較し、空気第１出入口を備えた検出端部が受ける風の影響を筐体によって緩和することができるから、空気第１出入口から出入する空気量の大きな変動を防ぐことができ、中空管内部の静圧の不規則かつ急激な変化を防ぐことができる。中空管の検出端部の先端から接続端部の後端までの長さが５０ｍ未満では中空管の内部抵抗が十分に作用せず、検出端部近傍の気圧の変動にともなう中空管内部の静圧の振幅変動を検出端部から接続端部に向かって小さくすることができず、中空管内部の静圧の周期を検出端部から接続端部に向かって長くすることができない。その結果、気圧変動に対して中空管内部の静圧を安定化させることができない。また、中空管の検出端部の先端から接続端部の後端までの長さが５００ｍを超過すると、長さがそれ以上長くなったとしても、中空管内部の静圧の振幅変動を検出端部から接続端部に向かって小さくする効果が向上せず、中空管内部の静圧の周期を検出端部から接続端部に向かって長くする効果が向上しないばかりか、中空管が嵩張り、設置箇所において中空管が場所を取り、邪魔になる場合がある。しかし、基準圧計測補助具および基準圧計測方法は、中空管の検出端部の先端から接続端部の後端までの長さが５０〜５００ｍの範囲にあるから、検出端部近傍の気圧の変動にともなう中空管内部の静圧の振幅変動を検出端部から接続端部に向かって確実に小さくすることができ、中空管内部の静圧の周期を検出端部から接続端部に向かって確実に長くすることができるとともに、屋外気圧の変動に対して中空管内部の静圧を確実に安定化させることができ、計測した基準圧の不規則かつ急激な変化を確実に防ぐことができる。また、中空管が嵩張ることはなく、中空管が場所を取らずに邪魔にならない。
【００２９】
中空管の検出端部がコイル状に巻かれた中間部から少なくとも２つに分岐し、それら検出端部と前記コイル状に巻かれた中間部とが筐体内部に収容されている基準圧計測補助具および基準圧計測方法は、一方の検出端部が何らかの原因によって閉塞したとしても、他方の検出端部によって基準圧を計測することができ、検出端部が閉塞することによる基準圧の計測不能を防ぐことができる。基準圧計測補助具および基準圧計測方法は、風の影響によって空気第１出入口を備えた検出端部の近傍の気圧が変動したとしても、中空管内部の静圧を安定化させることができ、安定した基準圧を計測することができる。
【００３０】
中空管が接続端部から分岐する少なくとも２つのコイル状に巻かれた中間部とそれら中間部につながる少なくとも２つの検出端部とを有し、一方の検出端部と一方のコイル状に巻かれた中間部とが一方の筐体内部に収容され、他方の検出端部と他方のコイル状に巻かれた中間部とが他方の筐体内部に収容されている基準圧計測補助具および基準圧計測方法は、少なくとも２つ以上の中間部および少なくとも２つ以上の検出端部において複数箇所の基準圧を計測し、計測した複数の基準圧の平均を採ることができるから、基準圧を平均化することができ、１つ箇所において基準圧を計測することによる基準圧の偏りを防ぐことができる。基準圧計測補助具および基準圧計測方法は、風の影響によって空気第１出入口を備えた検出端部の近傍の気圧が変動したとしても、中空管内部の静圧を安定化させることができ、安定かつ平均化した基準圧を計測することができる。
【００３１】
筐体の一方が第１の方角における屋外に設置され、筐体の他方が第１の方角とは反対の第２の方角における屋外に設置され、検出端部の一方が第１の方角における屋外に設置され、検出端部の他方が第２の方角における屋外に設置されている基準圧計測補助具および基準圧計測方法は、たとえば、２つの検出端部の一方を北側に設置し、他方を南側に設置することにより、北風が強い場合において北風の影響を直接受ける検出端部と北風の影響を間接的に受ける検出端部とから基準圧を計測することができ、一方の箇所のみにおいて基準圧を検出することによる基準圧の偏りを防ぐことができる。基準圧計測補助具および基準圧計測方法は、全く逆の方角において計測した基準圧の平均を採ることができるから、基準圧を平均化することができ、１つ箇所において基準圧を計測することによる基準圧の偏りを防ぐことができる。基準圧計測補助具および基準圧計測方法は、風の影響によって空気第１出入口を備えた検出端部の近傍の気圧が変動したとしても、中空管内部の静圧を安定化させることができ、安定かつ平均化した基準圧を計測することができる。
【００３２】
中空管の検出端部が閉塞先端と閉塞先端から続く周側面とを有し、空気第１出入口が周側面に形成されている基準圧計測補助具および基準圧計測方法は、空気第１出入口が検出端部の先端に形成されている場合と比較し、空気第１出入口における風の影響を緩和することができるから、空気第１出入口から出入する空気量の大きな変動を防ぐことができ、中空管内部の静圧の不規則かつ急激な変化を防ぐことができる。基準圧計測補助具および基準圧計測方法は、風の影響によって空気第１出入口を備えた検出端部の近傍の気圧が変動したとしても、中空管内部の静圧を安定化させることができ、安定した基準圧を計測することができる。
【００３３】
空気第１出入口が周側面に複数個形成され、空気第１出入口の開口面積が１０〜２０ｍｍ２の範囲にある基準圧計測補助具および基準圧計測方法は、空気第１出入口を周側面に複数個形成しつつ、空気第１出入口の開口面積を前記範囲にすることで、空気第１出入口から出入する空気量の大きな変動を防ぐことができ、中空管内部の静圧の不規則かつ急激な変化を防ぐことができる。基準圧計測補助具および基準圧計測方法は、風の影響によって空気第１出入口を備えた検出端部の近傍の気圧が変動したとしても、中空管内部の静圧を安定化させることができ、安定した基準圧を計測することができる。
【００３４】
中空管の接続端部に接続されて中空管内部の静圧を検出する検出機器を含み、検出機器において中空管の基準圧がリアルタイムで連続的に測定される基準圧計測補助具および基準圧計測方法は、中空管から安定した静圧が検出装置に作用するから、検出機器において安定した基準圧を測定することができ、検出機器において計測した基準圧を利用して各種の制御動作を正確に実行させることができる。
【００３５】
中空管の検出端部と接続端部と中間部と内径が４〜２０ｍｍの範囲にある基準圧計測補助具および基準圧計測方法は、中空管の内径を前記範囲にすることにより、風の影響によって空気第１出入口を備えた検出端部の近傍の気圧が変動したとしても、中空管の内部の圧力抵抗によって気圧の変動に対する中空管内部の静圧の振幅の変動が検出端部から接続端部に向かって次第に小さくなるとともに、気圧の変動に対する中空管内部の静圧の周期が検出端部から接続端部に向かって次第に長くなるから、屋外気圧の変動に対して中空管内部の静圧を確実に安定化させることができ、計測した基準圧の不規則かつ急激な変化を確実に防ぐことができる。基準圧計測補助具および基準圧計測方法は、風の影響によって空気第１出入口を備えた検出端部の近傍の気圧が変動したとしても、中空管内部の静圧を安定化させることができ、安定した基準圧を計測することができる。
【００３６】
中空管が検出端部と接続端部との圧力差±１０〜±１５０Ｐａの範囲における検出端部近傍の気圧変動に対して中空管内部の静圧を安定させる基準圧計測補助具および基準圧計測方法は、検出端部近傍の前記範囲における気圧変動によって中空管内部の静圧が不規則かつ急激に変化する場合があるが、中空管の圧力抵抗によって前記範囲の気圧変動に対して中空管内部の静圧の振幅の変動が検出端部から接続端部に向かって次第に小さくなるとともに、中空管内部の静圧の周期が検出端部から接続端部に向かって次第に長くなるから、前記範囲の気圧の変動に対して中空管内部の静圧を確実に安定化させることができ、計測した基準圧の不規則かつ急激な変化を確実に防ぐことができる。基準圧計測補助具および基準圧計測方法は、風の影響によって空気第１出入口を備えた検出端部の近傍の気圧が変動したとしても、中空管内部の静圧を安定化させることができ、安定した基準圧を計測することができる。
【図面の簡単な説明】
【００３７】
【図１】一例として示す基準圧計測補助具の斜視図。
【図２】一例として示す検出端部の斜視図。
【図３】他の一例として示す検出端部の斜視図。
【図４】他の一例として示す基準圧計測補助具の斜視図。
【図５】他の一例として示す基準圧計測補助具の斜視図。
【図６】他の一例として示す基準圧計測補助具の斜視図。
【図７】他の一例として示す基準圧計測補助具の斜視図。
【図８】他の一例として示す基準圧計測補助具の斜視図。
【図９】他の一例として示す基準圧計測補助具の斜視図。
【図１０】他の一例として示す基準圧計測補助具の斜視図。
【図１１】基準圧計測補助具（中空管１００ｍの場合）を利用して計測した圧力の時間的な変化を表す図。
【図１２】基準圧計測補助具（中空管２００ｍの場合）を利用して計測した圧力の時間的な変化を表す図。
【発明を実施するための形態】
【００３８】
一例として示す基準圧計測補助具１０Ａの斜視図である図１等の添付の図面を参照し、本発明にかかる基準圧計測補助具および基準圧計測方法の詳細を説明すると、以下のとおりである。なお、図２は、一例として示す検出端部１２の斜視図であり、図３は、他の一例として示す検出端部１２の斜視図である。図２，３では、長さ方向（一方向）を矢印Ａ、周り方向を矢印Ｂで示し、径方向を矢印Ｃで示す。この実施態様では、建造物近傍の屋外（所定の箇所）における空気の基準圧の計測に使用する基準圧計測補助具１０Ａ（中空管１１）を利用して基準圧計測方法を実施する。計測された基準圧は、所定の制御装置（制御系）の制御動作の基準値として利用される。なお、所定の箇所には、屋外のみならず建造物の屋内も含まれる。
【００３９】
基準圧計測補助具１０Ａは、長さ方向へ長い長尺の中空管１１から形成されている。中空管１１は、径方向へ切断した切断面の形状（断面形状）が円形のホースであり、ゴム、ビニール、プラスチック、布等から作られ、曲げ延ばしが自在な可撓性を有する。なお、中空管１１の断面形状には、円形の他に、四角形や多角形等のあらゆる形状が含まれる。中空管１１は、検出端部１２（前端部）と、検出端部１２の反対側に位置する接続端部１４（後端部）と、検出端部１２と接続端部１４との間に位置する中間部１３とを有する。
【００４０】
検出端部１２は、空気の基準圧の計測箇所となる建造物近傍の屋外（建造物の屋内も含む）に所定の設置手段を介してずれ動きがないように設置されている。中間部１３および接続端部１４は、建造物の屋内に設置されている。ただし、中間部１３が建造物の屋外に設置される場合もある。接続端部１４は、中空管１１内部の静圧を検出する検出機器２９（図１０参照）に接続される。検出機器２９としては、微圧計や差圧計、微差圧計がある。中空管１１は、検出端部１２と中間部１３と接続端部１４とにおいてそれら部１２〜１４の内部における気圧の伝達が遮断されないように設置されている。
【００４１】
図２に示す検出端部１２は、周り方向へ延びる周側面１５を有し、空気第１出入口１６を備えている。図２の検出端部１２の空気第１出入口１６は、検出端部１２の先端に形成された断面円形の開口である。図３に示す検出端部１２は、閉塞先端１７と、閉塞先端１７から続く周側面１８とを有し、偶数個（複数個）の空気第１出入口１９Ａ，１９Ｂを備えている。図３の検出端部１２の空気第１出入口１９Ａ，１９Ｂは、周側面１８に形成された周り方向へ長い矩形の開口である。図３では、周側面１８において２つの空気第１出入口１９Ａ，１９Ｂが周り方向へ互いに１８０°離間した位置に形成されている。
【００４２】
なお、図３の検出端部１２における空気第１出入口１９Ａ，１９Ｂの数に特に限定はなく、４つ以上の出入口が周側面１８に形成されていてもよい。接続端部１４は、空気第２出入口（図示せず）を備えている。空気第２出入口は、図２の検出端部１２の空気第１出入口１６と同様に、接続端部１４の先端に形成された断面円形の開口である。
【００４３】
本発明では、図３に示す空気第１出入口１９Ａ，１９Ｂを採用することが好ましい。図２に示すように、空気第１出入口１６が検出端部１２の先端に形成された円形の開口である場合、空気第１出入口１６が屋外に吹く風の影響を直接受け、不規則かつ急激に変動する屋外の気圧が空気第１出入口１６に大きく作用するが、図３に示すように、空気第１出入口１９Ａ，１９Ｂが検出端部１２の周側面１８に形成された矩形の開口である場合、空気第１出入口１９Ａ，１９Ｂが風の影響を直接受けることはなく、空気第１出入口１９Ａ，１９Ｂにおける風の影響を緩和することができ、屋外の気圧が不規則かつ急激に変動したとしても、第１出入口１９Ａ，１９Ｂに接する空気の気圧が大きく変化することはないからである。
【００４４】
基準圧計測補助具１０Ａでは、計測された中空管１１内部（接続端部１４内）の静圧（基準圧）を制御装置の制御動作（たとえば、フードバック制御）の基準値として利用することができる。中空管１１は、その検出端部１２の空気第１出入口１６，１９Ａ，１９Ｂにおいて空気が出入し、それにともなって接続端部１４の空気第２出入口において空気が出入することで、中空管１１内部における静圧が所定圧を中心としてプラス側またはマイナス側に変化し、計測される基準圧が所定圧を中心としてプラス側またはマイナス側に変化する。
【００４５】
なお、中空管１１の検出端部１２を屋外に設置した場合、屋外に吹く風の影響によって検出端部１２近傍の気圧が常時変動する。検出端部１２近傍の気圧が変動すると（たとえば、検出端部１２と接続端部１４との圧力差±１０〜±１５０Ｐａの範囲において変動すると）、空気第１出入口１６，１９Ａ，１９Ｂから伝達される気圧が大きく変化し、中空管１１内部の静圧の振幅の変動が大きくなるとともに、中空管１１内部の静圧の周期が短くなり、中空管１１内部の静圧が不安定となって計測される基準圧が不規則かつ急激に変化する。基準圧が不規則かつ急激に変化すると、制御装置の制御動作の誤作動や過作動が起こる場合がある。
【００４６】
この基準圧計測補助具１０Ａでは、中空管１１の圧力抵抗（中空管１１の内周面２０と中空管１１内部の空気との摩擦抵抗）により、中空管１１内部の静圧の振幅変動が検出端部１２から接続端部１４に向かって次第に小さくなるとともに、中空管１１内部の静圧の周期が検出端部１２から接続端部１４に向かって次第に長くなり、屋外に吹く風の影響による気圧変動に対して中空管１１内部の静圧が安定化する。したがって、中空管１１では、気圧変動に対して検出端部１２や端部１２近傍の中間部１３における静圧が不安定となったとしても、接続端部１４や端部１４近傍の中間部１３における静圧が安定し、安定した基準圧が計測される。また、図３に示す空気第１出入口１９Ａ，１９Ｂを採用することにより、接続端部１４において計測される基準圧を一層安定化させることができる。
【００４７】
図３の検出端部１２の空気第１出入口１９Ａ，１９Ｂは、その開口面積が１０〜２０ｍｍ２の範囲にある。空気第１出入口１９Ａ，１９Ｂの開口面積が１０ｍｍ２未満では、出入口１９Ａ，１９Ｂにおける空気の出入が困難となり、基準圧を計測することができない場合がある。空気第１出入口１９Ａ，１９Ｂの開口面積が２０ｍｍ２を超過すると、出入口１９Ａ，１９Ｂが風の影響を受け易く、不規則かつ急激に変動する外気の気圧が出入口１９Ａ，１９Ｂに大きく作用し、出入口１９Ａ，１９Ｂにおいて風の影響を緩和することが難しい。
【００４８】
中空管１１は、その検出端部１２（端部１２の先端）から接続端部１４（端部１４の後端）までの長さが５０〜５００ｍの範囲にある。長さが５０ｍ未満では、中空管１１の内部抵抗が十分に作用せず、検出端部１２近傍の気圧の変動にともなう中空管１１内部の静圧の振幅変動を検出端部１２から接続端部１４に向かって小さくすることができず、中空管１１内部の静圧の周期を検出端部１２から接続端部１４に向かって長くすることができない。その結果、気圧変動に対して中空管１１内部の静圧を安定化させることができない。長さが５００ｍを超過すると、長さがそれ以上長くなったとしても、中空管１１内部の静圧の振幅変動を検出端部１２から接続端部１４に向かって小さくする効果が向上せず、中空管１１内部の静圧の周期を検出端部１２から接続端部１４に向かって長くする効果が向上しないばかりか、中空管１１が嵩張り、設置箇所において中空管１１が場所を取り、邪魔になる場合がある。
【００４９】
中空管１１は、検出端部１２と中間部１３と接続端部１４との内径Ｌ（径方向の直径）が４〜２０ｍｍの範囲にある。それら部１２〜１４の内径Ｌが４ｍｍ未満では、中空管１１内部の圧力抵抗が大きくなり過ぎ、検出端部１２近傍の気圧の変動にともなう中空管１１内部の静圧の振幅変動が小さくなり過ぎるとともに、中空管１１内部の静圧の周期が長くなり過ぎ、検出端部１２近傍の気圧の変動にともなう適正な基準圧を計測することができない。それら部１２〜１４の内径Ｌが２０ｍｍを超過すると、中空管１１内部の圧力抵抗が小さくなり、検出端部１２近傍の気圧の変動にともなう中空管１１内部の静圧の振幅変動を検出端部１２から接続端部１４に向かって小さくすることができず、中空管１１内部の静圧の周期を検出端部１２から接続端部１４に向かって長くすることができない。その結果、気圧変動に対して中空管１１内部の静圧を安定化させることができない。
【００５０】
図１に示す基準圧計測補助具１０Ａおよびその補助具１０Ａを利用した基準圧計測方法は、建造物近傍の屋外における空気の基準圧の計測に一方向へ長い長尺の可撓性を有する中空管１１が使用され、屋外に吹く風の影響によって空気第１出入口１６，１９Ａ，１９Ｂを備えた検出端部１２の近傍の気圧が変動し、出入口１６，１９Ａ，１９Ｂから伝達される気圧が大きく変化したとしても、中空管１１の内部の圧力抵抗によって気圧の変動に対する中空管１１内部における静圧の振幅の変動が検出端部１２から接続端部１４に向かって次第に小さくなるとともに、気圧の変動に対する中空管１１内部における静圧の周期が検出端部１２から接続端部１４に向かって次第に長くなるから、屋外気圧の変動に対して中空管１１内部の静圧を安定化させることができ、計測した基準圧の不規則かつ急激な変化を防ぐことができる。
【００５１】
図１に示す基準圧計測補助具１０Ａおよびその補助具１０Ａを利用した基準圧計測方法は、検出端部１２と接続端部１４との圧力差±１０〜±１５０Ｐａの範囲における検出端部１２近傍の気圧変動によって中空管１１内部の静圧が不規則かつ急激に変化する場合があるが、中空管１１の圧力抵抗によって前記範囲の気圧変動に対して中空管１１内部の静圧の振幅の変動が検出端部１２から接続端部１４に向かって次第に小さくなるとともに、中空管１１内部の静圧の周期が検出端部１２から接続端部１４に向かって次第に長くなるから、前記範囲の気圧の変動に対して中空管１１内部の静圧を確実に安定化させることができ、計測した基準圧の不規則かつ急激な変化を確実に防ぐことができる。基準圧計測補助具１０Ａおよびその補助具１０Ａを使用した基準圧計測方法は、空気第１出入口１６，１９Ａ，１９Ｂを備えた検出端部１２の近傍において気圧が変動したとしても、安定した基準圧を計測することができるから、基準圧が不規則かつ急激に変化することによる制御装置の制御動作の誤作動や過作動を防止することができる。
【００５２】
図４は、他の一例として示す基準圧計測補助具１０Ｂの斜視図である。この基準圧計測補助具１０Ｂが図１のそれと異なるところは、中空管１１の中間部１３がコイル状に巻かれている点にあり、その他の構成は図１の基準圧計測補助具１０Ａと同一であるから、図１と同様の符号を付すとともに、図１の説明を援用し、この基準圧計測補助具１０Ｂにおけるその他の構成の詳細な説明は省略する。
【００５３】
基準圧計測補助具１０Ｂは、図１のそれと同様に、長さ方向へ長い長尺の中空管１１から形成されている。中空管１１は、断面形状が円形のホースであり、曲げ延ばしが自在な可撓性を有する。中空管１１は、空気第１出入口１６，１９Ａ，１９Ｂを備えた検出端部１２と、検出端部１２の反対側に位置して空気第２出入口を備えた接続端部１４と、検出端部１２と接続端部１４との間に位置する中間部１３とを有する。
【００５４】
中空管１１は、その中間部１３がコイル状に巻かれている。中空管１１は、検出端部１２と中間部１３と接続端部１４とにおいてそれら部１２〜１４の内部における気圧の伝達が遮断されないように設置されている。検出端部１２は、建造物近傍の屋外に設置されている。中間部１３および接続端部１４は、建造物の屋内に設置されている。
【００５５】
基準圧計測補助具１０Ｂにおける空気第１出入口１６，１９Ａ，１９Ｂや空気第２出入口は、図１の中空管１１のそれらと同一である（図２，３参照）。図３の空気第１出入口１９Ａ，１９Ｂを採用した場合の出入口１９Ａ，１９Ｂの開口面積は、図１の中空管１１において説明したそれと同一である。中空管１１の検出端部１２から接続端部１４までの長さや中空管１１の検出端部１２と中間部１３と接続端部１４との内径Ｌは、図１の中空管１１において説明したそれらと同一である。
【００５６】
この基準圧計測補助具１０Ｂでは、屋外に吹く風の影響によって空気第１出入口１６，１９Ａ，１９Ｂを備えた検出端部１２の近傍の気圧が変動し、出入口１６，１９Ａ，１９Ｂから伝達される気圧が大きく変化したとしても、中空管１１の圧力抵抗により、中空管１１内部の静圧の振幅の変動が検出端部１２から接続端部１４に向かって次第に小さくなるとともに、中空管１１内部の静圧の周期が検出端部１２から接続端部１４に向かって次第に長くなり、屋外に吹く風の影響による気圧変動に対して中空管１１内部の静圧が安定化する。したがって、中空管１１では、気圧変動に対して検出端部１２や端部１２近傍の中間部１３における静圧が不安定となったとしても、接続端部１４や端部１４近傍の中間部１３における静圧が安定し、安定した基準圧が計測される。
【００５７】
図４に示す基準圧計測補助具１０Ｂおよびその補助具１０Ｂを利用した基準圧計測方法は、図１の基準圧計測補助具１０Ａおよびその補助具１０Ａを利用した基準圧計測方法が有する効果に加え、以下の効果を有する。図４の基準圧計測補助具１０Ｂおよびその補助具１０Ｂを利用した基準圧計測方法は、中空管１１の中間部１３をコイル状に巻くことによって長尺の中空管１１をコンパクトにすることができるから、場所を取らずに中空管１１を所定の箇所に設置することができる。
【００５８】
図５は、他の一例として示す基準圧計測補助具１０Ｃの斜視図である。この基準圧計測補助具１０Ｃが図１のそれと異なるところは、中空管１１の中間部１３がコイル状に巻かれている点、検出端部１２が中間部１３から２つに分岐している点にあり、その他の構成は図１の基準圧計測補助具１０Ａと同一であるから、図１と同様の符号を付すとともに、図１の説明を援用し、この基準圧計測補助具１０Ｃにおけるその他の構成の詳細な説明は省略する。
【００５９】
基準圧計測補助具１０Ｃは、図１のそれと同様に、長さ方向へ長い長尺の中空管１１から形成されている。中空管１１は、断面形状が円形のホースであり、曲げ延ばしが自在な可撓性を有する。中空管１１は、空気第１出入口１６，１９Ａ，１９Ｂを備えた検出端部１２と、検出端部１２の反対側に位置して空気第２出入口を備えた接続端部１４と、検出端部１２と接続端部１４との間に位置する中間部１３とを有する。
【００６０】
中空管１１は、その中間部１３がコイル状に巻かれている。中空管１１は、検出端部１２と中間部１３と接続端部１４とにおいてそれら部１２〜１４の内部における気圧の伝達が遮断されないように設置されている。検出端部１２は、中間部１３から２つに分岐する第１検出端部１２Ａと第２検出端部１２Ｂとから形成されている。第１および第２検出端部１２Ａ，１２Ｂは、建造物近傍の屋外に設置されている。それら検出端部１２Ａ，１２Ｂは、互いに近接した箇所に設置される場合、または、所定距離離間した箇所に設置される場合がある。なお、検出端部１２が中間部１３から３つ以上に分岐していてもよい。中間部１３および接続端部１４は、建造物の屋内に設置されている。
【００６１】
基準圧計測補助具１０Ｃにおける空気第１出入口１６，１９Ａ，１９Ｂや空気第２出入口は、図１の中空管１１のそれらと同一である（図２，３参照）。図３の空気第１出入口１９Ａ，１９Ｂを採用した場合の出入口１９Ａ，１９Ｂの開口面積は、図１の中空管１１において説明したそれと同一である。中空管１１の検出端部１２（１２Ａまたは１２Ｂ）から接続端部１４までの長さや中空管１１の検出端部１２Ａ，１２Ｂと中間部１３と接続端部１４との内径Ｌは、図１の中空管１１において説明したそれらと同一である。
【００６２】
この基準圧計測補助具１０Ｃでは、屋外に吹く風の影響によって空気第１出入口１６，１９Ａ，１９Ｂを備えたそれら検出端部１２Ａ，１２Ｂの近傍の気圧が変動し、出入口１６，１９Ａ，１９Ｂから伝達される気圧が大きく変化したとしても、中空管１１の圧力抵抗により、中空管１１内部の静圧の振幅の変動が検出端部１２から接続端部１４に向かって次第に小さくなるとともに、中空管１１内部の静圧の周期が検出端部１２から接続端部１４に向かって次第に長くなり、屋外に吹く風の影響による気圧変動に対して中空管１１内部の静圧が安定化する。したがって、中空管１１では、気圧変動に対して検出端部１２Ａ，１２Ｂや端部１２Ａ，１２Ｂ近傍の中間部１３における静圧が不安定となったとしても、接続端部１４や端部１４近傍の中間部１３における静圧が安定し、安定した基準圧が計測される。
【００６３】
図５に示す基準圧計測補助具１０Ｃおよびその補助具１０Ｃを利用した基準圧計測方法は、図１の基準圧計測補助具１０Ａおよびその補助具１０Ａを利用した基準圧計測方法が有する効果に加え、以下の効果を有する。図５の基準圧計測補助具１０Ｃおよびその補助具１０Ｃを利用した基準圧計測方法は、中空管１１の中間部１３をコイル状に巻くことによって長尺の中空管１１をコンパクトにすることができるから、場所を取らずに中空管１１を所定の箇所に設置することができる。また、検出端部１２Ａ，１２Ｂの一方が何らかの原因によって閉塞したとしても、検出端部１２Ａ，１２Ｂの他方によって基準圧を計測することができ、検出端部１２が閉塞することによる基準圧の計測不能を防ぐことができる。
【００６４】
図６は、他の一例として示す基準圧計測補助具１０Ｄの斜視図である。この基準圧計測補助具１０Ｄが図１のそれと異なるところは、中空管１１の中間部１３がコイル状に巻かれている点、２つの検出端部１２Ａ，１２Ｂと２つの中間部１３Ａ，１３Ｂとを有する点にあり、その他の構成は図１の基準圧計測補助具１０Ａと同一であるから、図１と同様の符号を付すとともに、図１の説明を援用し、この基準圧計測補助具１０Ｄにおけるその他の構成の詳細な説明は省略する。
【００６５】
基準圧計測補助具１０Ｄは、図１のそれと同様に、長さ方向へ長い長尺の中空管１１から形成されている。中空管１１は、断面形状が円形のホースであり、曲げ延ばしが自在な可撓性を有する。中空管１１は、空気第１出入口１６，１９Ａ，１９Ｂを備えた検出端部１２と、検出端部１２の反対側に位置して空気第２出入口を備えた接続端部１４と、検出端部１２と接続端部１４との間に位置する中間部１３とを有する。中空管１１は、検出端部１２と中間部１３と接続端部１４とにおいてそれら部１２〜１４の内部における気圧の伝達が遮断されないように設置されている。
【００６６】
中間部１３は、接続端部１４から分岐する２つの第１中間部１３Ａと第２中間部１３Ｂとから形成されている。それら中間部１３Ａ，１３Ｂは、コイル状に巻かれている。検出端部１２は、それら中間部１３Ａ，１３Ｂにつながる２つの第１検出端部１２Ａと第２検出端部１２Ｂとから形成されている。それら検出端部１２Ａ，１２Ｂは、建造物近傍の屋外に設置されている。それら中間部１３Ａ，１３Ｂおよび接続端部１４は、建造物の屋内に設置されている。なお、中間部１３が接続端部１４から分岐する３つ以上のそれらから形成されていてもよく、検出端部１２がそれら中間部１３から続く３つ以上のそれらから形成されていてもよい。
【００６７】
基準圧計測補助具１０Ｄにおける空気第１出入口１６，１９Ａ，１９Ｂや空気第２出入口は、図１の中空管１１のそれらと同一である（図２，３参照）。図３の空気第１出入口１９Ａ，１９Ｂを採用した場合の出入口１９Ａ，１９Ｂの開口面積は、図１の中空管１１において説明したそれと同一である。中空管１１の検出端部１２（１２Ａまたは１２Ｂ）から接続端部１４までの長さや中空管１１の検出端部１２Ａ，１２Ｂと中間部１３Ａ，１３Ｂと接続端部１４との内径Ｌは、図１の中空管１１において説明したそれらと同一である。
【００６８】
この基準圧計測補助具１０Ｄでは、屋外に吹く風の影響によって空気第１出入口１６，１９Ａ，１９Ｂを備えたそれら検出端部１２Ａ，１２Ｂの近傍の気圧が変動し、出入口１６，１９Ａ，１９Ｂから伝達される気圧が大きく変化したとしても、中空管１１の内部抵抗により、中空管１１内部の静圧の振幅の変動が検出端部１２から接続端部１４に向かって次第に小さくなるとともに、中空管１１内部の静圧の周期が検出端部１２から接続端部１４に向かって次第に長くなり、屋外に吹く風の影響による気圧変動に対して中空管１１内部の静圧が安定化するとともに、２つの検出端部１２Ａ，１２Ｂや２つの中間部１３Ａ，１３Ｂによって静圧が平均化される。したがって、中空管１１では、気圧変動に対してそれら検出端部１２Ａ，１２Ｂや端部１２Ａ，１２Ｂ近傍のそれら中間部１３Ａ，１３Ｂにおける静圧が不安定となったとしても、接続端部１４や端部１４近傍の中間部１３Ａ，１３Ｂにおける静圧が安定し、安定かつ平均化した基準圧が計測される。
【００６９】
図６に示す基準圧計測補助具１０Ｄおよびその補助具１０Ｄを利用した基準圧計測方法は、図１の基準圧計測補助具１０Ａおよびその補助具１０Ａを利用した基準圧計測方法が有する効果に加え、以下の効果を有する。図６の基準圧計測補助具１０Ｄおよびその補助具１０Ｄを利用した基準圧計測方法は、中空管１１のそれら中間部１３Ａ，１３Ｂをコイル状に巻くことによって長尺の中空管１１をコンパクトにすることができるから、場所を取らずに中空管１１を所定の箇所に設置することができる。また、２つの中間部１３Ａ，１３Ｂおよび２つの検出端部１２Ａ，１２Ｂにおいて２箇所の基準圧を計測し、計測した２箇所の基準圧の平均を採ることができるから、基準圧を平均化することができ、１つ箇所において基準圧を計測することによる基準圧の偏りを防ぐことができる。
【００７０】
図７は、他の一例として示す基準圧計測補助具１０Ｅの斜視図である。この基準圧計測補助具１０Ｅが図１のそれと異なるところは、中空管１１の中間部１３がコイル状に巻かれている点、２つの検出端部１２Ａ，１２Ｂと２つの中間部１３Ａ，１３Ｂとを有する点、一方の検出端部１２Ａが第１の方角における屋外に設置され、他方の検出端部１２Ｂが第１の方角とは反対の第２の方角に設置されている点にあり、その他の構成は図１の基準圧計測補助具１０Ａと同一であるから、図１と同様の符号を付すとともに、図１の説明を援用し、この基準圧計測補助具１０Ｅにおけるその他の構成の詳細な説明は省略する。
【００７１】
基準圧計測補助具１０Ｅは、図１のそれと同様に、長さ方向へ長い長尺の中空管１１から形成されている。中空管１１は、断面形状が円形のホースであり、曲げ延ばしが自在な可撓性を有する。中空管１１は、空気第１出入口１６，１９Ａ，１９Ｂを備えた検出端部１２と、検出端部１２の反対側に位置して空気第２出入口を備えた接続端部１４と、検出端部１２と接続端部１４との間に位置する中間部１３とを有する。中空管１１は、検出端部１２と中間部１３と接続端部１４とにおいてそれら部１２〜１４の内部における気圧の伝達が遮断されないように設置されている。
【００７２】
中間部１３は、接続端部１４から分岐する２つの第１中間部１３Ａと第２中間部１３Ｂとから形成されている。それら中間部１３Ａ，１３Ｂは、コイル状に巻かれている。検出端部１２は、それら中間部１３Ａ，１３Ｂにつながる２つの第１検出端部１２Ａと第２検出端部１２Ｂとから形成されている。一方の検出端部１２Ａは、第１の方角（たとえば、建造物の北側）における建造物近傍の屋外に設置され、他方の検出端部１２Ｂは、第１の方角とは反対の第２の方角（たとえば、建造物の南側）における建造物近傍の屋外に設置されている。それら中間部１３Ａ，１３Ｂおよび接続端部１４は、建造物の屋内に設置されている。
【００７３】
基準圧計測補助具１０Ｅにおける空気第１出入口１６，１９Ａ，１９Ｂや空気第２出入口は、図１の中空管１１のそれらと同一である（図２，３参照）。図３の空気第１出入口１９Ａ，１９Ｂを採用した場合の出入口１９Ａ，１９Ｂの開口面積は、図１の中空管１１において説明したそれと同一である。中空管１１の検出端部１２（１２Ａまたは１２Ｂ）から接続端部１４までの長さや中空管１１の検出端部１２Ａ，１２Ｂと中間部１３Ａ，１３Ｂと接続端部１４との内径Ｌは、図１の中空管１１において説明したそれらと同一である。
【００７４】
この基準圧計測補助具１０Ｅでは、屋外に吹く風の影響によって空気第１出入口１６，１９Ａ，１９Ｂを備えたそれら検出端部１２Ａ，１２Ｂの近傍の気圧が変動し、出入口１６，１９Ａ，１９Ｂから伝達される気圧が大きく変化したとしても、中空管１１の内部抵抗により、中空管１１内部の静圧の振幅の変動が検出端部１２Ａ，１２Ｂから接続端部１４に向かって次第に小さくなるとともに、中空管１１内部の静圧の周期が検出端部１２Ａ，１２Ｂから接続端部１４に向かって次第に長くなり、屋外に吹く風の影響による気圧変動に対して中空管１１内部の静圧が安定化するとともに、２つの検出端部１２Ａ，１２Ｂや２つの中間部１３Ａ，１３Ｂによって静圧が平均化される。したがって、中空管１１では、気圧変動に対してそれら検出端部１２Ａ，１２Ｂや端部１２Ａ，１２Ｂ近傍のそれら中間部１３Ａ，１３Ｂにおける静圧が不安定となったとしても、接続端部１４や端部１４近傍の中間部１３Ａ，１３Ｂにおける静圧が安定し、安定かつ平均化した基準圧が計測される。
【００７５】
図７に示す基準圧計測補助具１０Ｅおよびその補助具１０Ｅを利用した基準圧計測方法は、図１の基準圧計測補助具１０Ａおよびその補助具１０Ａを利用した基準圧計測方法が有する効果に加え、以下の効果を有する。図７の基準圧計測補助具１０Ｅおよびその補助具１０Ｅを利用した基準圧計測方法は、中空管１１の中間部１３Ａ，１３Ｂをコイル状に巻くことによって長尺の中空管１１をコンパクトにすることができるから、場所を取らずに中空管１１を所定の箇所に設置することができる。
【００７６】
図７の基準圧計測補助具１０Ｅおよびその補助具１０Ｅを利用した基準圧計測方法は、たとえば、２つの検出端部１２Ａ，１２Ｂの一方を北側に設置し、他方を南側に設置することにより、北風が強い場合において北風の影響を直接受ける検出端部１２Ａと北風の影響を間接的に受ける検出端部１２Ｂとから基準圧を計測することができ、一方の箇所のみにおいて基準圧を検出することによる基準圧の偏りを防ぐことができる。また、２つの中間部１３Ａ，１３Ｂおよび２つの検出端部１２Ａ，１２Ｂにおいて２箇所の基準圧を計測し、全く逆の方角において計測した２箇所の基準圧の平均を採ることができるから、基準圧を平均化することができ、１つ箇所において基準圧を計測することによる基準圧の偏りを防ぐことができる。
【００７７】
図８は、他の一例として示す基準圧計測補助具１０Ｆの斜視図である。この基準圧計測補助具１０Ｆが図１のそれと異なるところは、中空管１１の中間部１３がコイル状に巻かれている点、２つの検出端部１２と２つの中間部１３Ａ，１３Ｂとを有する点、検出端部１２が中間部１３Ａ，１３Ｂから２つに分岐している点、一方の検出端部１２Ａ，１２Ｂが第１の方角における屋外に設置され、他方の検出端部１２Ｃ，１２Ｄが第１の方角とは反対の第２の方角に設置されている点にあり、その他の構成は図１の基準圧計測補助具１０Ａと同一であるから、図１と同様の符号を付すとともに、図１の説明を援用し、この基準圧計測補助具１０Ｆにおけるその他の構成の詳細な説明は省略する。
【００７８】
基準圧計測補助具１０Ｅは、図１のそれと同様に、長さ方向へ長い長尺の中空管１１から形成されている。中空管１１は、断面形状が円形のホースであり、曲げ延ばしが自在な可撓性を有する。中空管１１は、空気第１出入口１６，１９Ａ，１９Ｂを備えた検出端部１２と、検出端部１２の反対側に位置して空気第２出入口を備えた接続端部１４と、検出端部１２と接続端部１４との間に位置する中間部１３とを有する。中空管１１は、検出端部１２と中間部１３と接続端部１４とにおいてそれら部１２〜１４の内部における気圧の伝達が遮断されないように設置されている。
【００７９】
中間部１３は、接続端部１４から分岐する２つの第１中間部１３Ａと第２中間部１３Ｂとから形成されている。それら中間部１３Ａ，１３Ｂは、コイル状に巻かれている。検出端部１２は、それら中間部１３Ａ，１３Ｂにつながって中間部１３Ａ，１３Ｂから２つに分岐する第１および第２検出端部１２Ａ，１２Ｂと第３および第４検出端部１２Ｃ，１２Ｄとから形成されている。一方の検出端部１２Ａ，１２Ｂは、第１の方角（たとえば、建造物の北側）における建造物近傍の屋外に設置され、他方の検出端部１２Ｃ，１２Ｄは、第１の方角とは反対の第２の方角（たとえば、建造物の南側）における建造物近傍の屋外に設置されている。それら中間部１３Ａ，１３Ｂおよび接続端部１４は、建造物の屋内に設置されている。
【００８０】
基準圧計測補助具１０Ｆにおける空気第１出入口１６，１９Ａ，１９Ｂや空気第２出入口は、図１の中空管１１のそれらと同一である（図２，３参照）。図３の空気第１出入口１９Ａ，１９Ｂを採用した場合の出入口１９Ａ，１９Ｂの開口面積は、図１の中空管１１において説明したそれと同一である。中空管１１の検出端部１２（１２Ａ〜１２Ｄ）から接続端部１４までの長さや中空管１１の検出端部１２Ａ〜１２Ｄと中間部１３Ａ，１３Ｂと接続端部１４との内径Ｌは、図１の中空管１１において説明したそれらと同一である。
【００８１】
この基準圧計測補助具１０Ｆでは、屋外に吹く風の影響によって空気第１出入口１６，１９Ａ，１９Ｂを備えたそれら検出端部１２Ａ〜１２Ｄの近傍の気圧が変動し、出入口１６，１９Ａ，１９Ｂから伝達される気圧が大きく変化したとしても、中空管１１の内部抵抗により、中空管１１内部の静圧の振幅の変動が検出端部１２Ａ〜１２Ｄから接続端部１４に向かって次第に小さくなるとともに、中空管１１内部の静圧の周期が検出端部１２Ａ〜１２Ｄから接続端部１４に向かって次第に長くなり、屋外に吹く風の影響による気圧変動に対して中空管１１内部の静圧が安定化するとともに、それら検出端部１２Ａ〜１２Ｄや２つの中間部１３Ａ，１３Ｂによって静圧が平均化される。したがって、中空管１１では、気圧変動に対してそれら検出端部１２Ａ〜１２Ｄや端部１２Ａ〜１２Ｄ近傍のそれら中間部１３Ａ，１３Ｂにおける静圧が不安定となったとしても、接続端部１４や端部１４近傍の中間部１３Ａ，１３Ｂにおける静圧が安定し、安定かつ平均化した基準圧が計測される。
【００８２】
図８に示す基準圧計測補助具１０Ｆおよびその補助具１０Ｆを利用した基準圧計測方法は、図１の基準圧計測補助具１０Ａおよびその補助具１０Ａを利用した基準圧計測方法が有する効果に加え、以下の効果を有する。図８の基準圧計測補助具１０Ｆおよびその補助具１０Ｆを利用した基準圧計測方法は、中空管１１の中間部１３Ａ，１３Ｂをコイル状に巻くことによって長尺の中空管１１をコンパクトにすることができるから、場所を取らずに中空管１１を所定の箇所に設置することができる。また、検出端部１２Ａ，１２Ｂのうちの一方が何らかの原因によって閉塞し、または、検出端部１２Ｃ，１２Ｄのうちの一方が何らかの原因によって閉塞したとしても、他方の検出端部１２Ａ〜１２Ｄによって基準圧を計測することができ、検出端部１２Ａ〜１２Ｄが閉塞することによる基準圧の計測不能を防ぐことができる。
【００８３】
図８の基準圧計測補助具１０Ｆおよびその補助具１０Ｆを利用した基準圧計測方法は、たとえば、それら検出端部１２Ａ〜１２Ｄのうちの検出端部１２Ａ，１２Ｂを北側に設置し、それら検出端部１２Ａ〜１２Ｄのうちの検出端部１２Ｃ，１２Ｄを南側に設置することにより、北風が強い場合において北風の影響を直接受ける検出端部１２Ａ，１２Ｂと北風の影響を間接的に受ける検出端部１２Ｃ，１２Ｄとから基準圧を計測することができ、一方の箇所のみにおいて基準圧を検出することによる基準圧の偏りを防ぐことができる。また、２つの中間部１３Ａ，１３Ｂおよび２つの検出端部１２Ａ，１２Ｂにおいて２箇所の基準圧を計測し、全く逆の方角において計測した２箇所の基準圧の平均を採ることができるから、基準圧を平均化することができ、１つ箇所において基準圧を計測することによる基準圧の偏りを防ぐことができる。
【００８４】
図９は、他の一例として示す基準圧計測補助具１０Ｇの斜視図である。この基準圧計測補助具１０Ｇが図１のそれと異なるところは、中空管１１の中間部１３がコイル状に巻かれている点、検出端部１２と中間部１３とが筐体２１の内部に収容されている点にあり、その他の構成は図１の基準圧計測補助具１０Ａと同一であるから、図１と同様の符号を付すとともに、図１の説明を援用し、この基準圧計測補助具１０Ｇにおけるその他の構成の詳細な説明は省略する。
【００８５】
基準圧計測補助具１０Ｇは、図１のそれと同様に、長さ方向へ長い長尺の中空管１１から形成されている。中空管１１は、断面形状が円形のホースであり、曲げ延ばしが自在な可撓性を有する。中空管１１は、空気第１出入口１６，１９Ａ，１９Ｂを備えた検出端部１２と、検出端部１２の反対側に位置して空気第２出入口を備えた接続端部１４と、検出端部１２と接続端部１４との間に位置する中間部１３とを有する。
【００８６】
中空管１１は、その中間部１３がコイル状に巻かれている。中空管１１では、検出端部１２と中間部１３とが筐体２１（箱）の内部に収容され、接続端部１４が筐体２１から外側に露出している。中空管１１は、検出端部１２と中間部１３と接続端部１４とにおいてそれら部１２〜１４の内部における気圧の伝達が遮断されないように筐体２１の内部に設置されている。
【００８７】
筐体２１は、建造物近傍の屋外に設置されている。なお、筐体２１が建造物の屋内に設置される場合がある。筐体２１は、四角形の壁が互いに直交する六面体の箱であり、互いに対向する頂底壁２２，２３と、それら頂底壁２２，２３の間に延びる各側壁２４〜２７とから形成されている。側壁２４や側壁２６には、空気が通る矩形の空気流通窓２８が作られている。筐体２１は、空気流通窓２８から進入した空気が空気流通窓２８から外部に流出する。ゆえに、筐体２１は、通気性を有する。空気流通窓２８は、側壁２４や側壁２６のみならず、側壁２５や側壁２７に作られていてもよい。
【００８８】
基準圧計測補助具１０Ｇにおける空気第１出入口１６，１９Ａ，１９Ｂや空気第２出入口は、図１の中空管１１のそれらと同一である（図２，３参照）。図３の空気第１出入口１９Ａ，１９Ｂを採用した場合の出入口１９Ａ，１９Ｂの開口面積は、図１の中空管１１において説明したそれと同一である。中空管１１の検出端部１２から接続端部１４までの長さや中空管１１の検出端部１２と中間部１３と接続端部１４との内径Ｌは、図１の中空管１１において説明したそれらと同一である。
【００８９】
図５に示す中空管１１（基準圧計測補助具１０Ｃ）が筐体２１の内部に収容されていてもよい。この場合、中間部１３および２つに分岐する検出端部１２Ａ，１２Ｂが筐体２１の内部に収容される。図６に示す中空管１１（基準圧計測補助具１０Ｄ）が筐体２１の内部に収容されていてもよい。この場合、２つの検出端部１２Ａ，１２Ｂおよび２つの中間部１３Ａ，１３Ｂの一方が第１の筐体２１の内部に収容され、他方が第２の筐体２１の内部に収容される。なお、図７，８に示す中空管１１（基準圧計測補助具１０Ｅ，基準圧計測補助具１０Ｄ）が筐体２１の内部に収容されていてもよい。
【００９０】
この基準圧計測補助具１０Ｇでは、筐体２１の外側に吹く風の影響によって空気第１出入口１６，１９Ａ，１９Ｂを備えた検出端部１２の近傍の気圧が変動し、出入口１６，１９Ａ，１９Ｂから伝達される気圧が大きく変化したとしても、中空管１１の内部抵抗により、中空管１１内部の静圧の振幅の変動が検出端部１２から接続端部１４に向かって次第に小さくなるとともに、中空管１１内部の静圧の周期が検出端部１２から接続端部１４に向かって次第に長くなり、屋外に吹く風の影響による気圧変動に対して中空管１１内部の静圧が安定化する。したがって、中空管１１では、気圧変動に対して検出端部１２や端部１２近傍の中間部１３における静圧が不安定となったとしても、接続端部１４や端部１４近傍の中間部１３における静圧が安定し、安定した基準圧が計測される。
【００９１】
図９に示す基準圧計測補助具１０Ｇおよびその補助具１０Ｇを利用した基準圧計測方法は、図１の基準圧計測補助具１０Ａおよびその補助具１０Ａを利用した基準圧計測方法が有する効果に加え、以下の効果を有する。図９の基準圧計測補助具１０Ｇおよびその補助具１０Ｇを利用した基準圧計測方法は、中空管１１の中間部１２をコイル状に巻くことによって長尺の中空管１１をコンパクトにすることができるから、中空管１１を筐体２１の内部に収容することができ、筐体２１を建造物近傍の屋外に設置することで、場所を取らずに中空管１１を所定の箇所に設置することができる。また、検出端部１２と中間部１３とが筐体２１に収容されていない場合と比較し、空気第１出入口１６，１９Ａ，１９Ｂを備えた検出端部１２が受ける風の影響を筐体２１によって緩和することができるから、空気第１出入口１６，１９Ａ，１９Ｂから出入する空気量の大きな変動を防ぐことができ、中空管１１内部の静圧の不規則かつ急激な変化を防ぐことができる。
【００９２】
図１０は、他の一例として示す基準圧計測補助具１０Ｈの斜視図である。この基準圧計測補助具１０Ｈが図１のそれと異なるところは中空管１１の中間部１３がコイル状に巻かれている点、接続端部１４に検出機器２９が接続されている点にあり、その他の構成は図１の基準圧計測補助具１０Ａと同一であるから、図１と同様の符号を付すとともに、図１の説明を援用し、この基準圧計測補助具１０Ｈにおけるその他の構成の詳細な説明は省略する。
【００９３】
基準圧計測補助具１０Ｈは、図１のそれと同様に、長さ方向へ長い長尺の中空管１１から形成されている。中空管１１は、断面形状が円形のホースであり、曲げ延ばしが自在な可撓性を有する。中空管１１は、空気第１出入口１６，１９Ａ，１９Ｂを備えた検出端部１２と、検出端部１２の反対側に位置して空気第２出入口を備えた接続端部１４と、検出端部１２と接続端部１４との間に位置する中間部１３とを有する。
【００９４】
中空管１１は、その中間部１３がコイル状に巻かれている。中空管１１は、検出端部１２と中間部１３と接続端部１４とにおいてそれら部１２〜１４の内部における気圧の伝達が遮断されないように設置されている。検出端部１２は、建造物近傍の屋外に設置されている。中間部１３および接続端部１４は、建造物の屋内に設置されている。接続端部１４には、中空管１１内部の静圧を検出する微圧計や差圧計、微差圧計等の検出機器２９が接続されている。なお、図１〜図９に示す中空管１１（基準圧計測補助具１０Ａ〜１０Ｇ）の接続端部１４に検出機器２９が接続されていてもよい。検出機器２９では、中空管１１の基準圧がリアルタイムで連続的に測定される。
【００９５】
図５に示す中空管１１（基準圧計測補助具１０Ｃ）が筐体２１の内部に収容されていてもよい。この場合、中間部１３および２つに分岐する検出端部１２Ａ，１２Ｂが筐体２１の内部に収容される。図６に示す中空管１１（基準圧計測補助具１０Ｄ）が筐体２１の内部に収容されていてもよい。この場合、２つの検出端部１２Ａ，１２Ｂおよび２つの中間部１３Ａ，１３Ｂの一方が第１の筐体２１の内部に収容され、他方が第２の筐体２１の内部に収容される。なお、図７，８に示す中空管１１（基準圧計測補助具１０Ｅ，基準圧計測補助具１０Ｄ）が筐体２１の内部に収容されていてもよい。
【００９６】
基準圧計測補助具１０Ｈにおける空気第１出入口１６，１９Ａ，１９Ｂや空気第２出入口は、図１の中空管１１のそれらと同一である（図２，３参照）。図３の空気第１出入口１９Ａ，１９Ｂを採用した場合の出入口１９Ａ，１９Ｂの開口面積は、図１の中空管１１において説明したそれと同一である。中空管１１の検出端部１２から接続端部１４までの長さや中空管１１の検出端部１２と中間部１３と接続端部１４との内径Ｌは、図１の中空管１１において説明したそれらと同一である。
【００９７】
この基準圧計測補助具１０Ｈでは、屋外に吹く風の影響によって空気第１出入口１６，１９Ａ，１９Ｂを備えた検出端部１２の近傍の気圧が変動し、出入口１６，１９Ａ，１９Ｂから伝達される気圧が大きく変化したとしても、中空管１１の内部抵抗により、中空管１１内部の静圧の振幅の変動が検出端部１２から接続端部１４に向かって次第に小さくなるとともに、中空管１１内部の静圧の周期が検出端部１２から接続端部１４に向かって次第に長くなり、屋外に吹く風の影響による気圧変動に対して中空管１１内部の静圧が安定化する。したがって、中空管１１では、気圧変動に対して検出端部１２や端部１２近傍の中間部１３における静圧が不安定となったとしても、接続端部１４や端部１４近傍の中間部１３における静圧が安定し、微圧計や差圧計、微差圧計等の検出機器２９によって安定した基準圧が計測される。
【００９８】
図１０に示す基準圧計測補助具１０Ｈおよびその補助具１０Ｈを利用した基準圧計測方法は、図１の基準圧計測補助具１０Ａおよびその補助具１０Ａを利用した基準圧計測方法が有する効果に加え、以下の効果を有する。図１０の基準圧計測補助具１０Ｈおよびその補助具１０Ｈを利用した基準圧計測方法は、中空管１１の中間部１３をコイル状に巻くことによって長尺の中空管１１をコンパクトにすることができるから、場所を取らずに中空管１１を所定の箇所に設置することができる。また、中空管１１から安定した静圧が検出機器２９に作用するから、検出機器２９において安定した基準圧を測定することができ、検出機器２９において計測した基準圧を利用して制御装置に各種の制御動作を正確に実行させることができる。
【００９９】
図１１，１２は、それら基準圧計測補助具１０Ａ〜１０Ｈ（中空管１１）を利用して計測した圧力（Ｐａ）の時間的な変化を表す図である。それら図では、縦軸に圧力（Ｐａ）が表され、横軸に経過時間（秒）が表されている。なお、それら図では、中空管１１を利用した圧力の時間的な変化を実線で示し、中空管１１を利用しない圧力の時間的な変化を点線で示す。また、図１１は、中空管１１の検出端部１２から接続端部１４までの長さが１００ｍの場合の圧力（静圧）の時間的な変化を表し、図１２は、中空管１１の検出端部１２から接続端部１４までの長さが２００ｍの場合の圧力（静圧）の時間的な変化を表している。
【０１００】
図１１，１２に示す圧力変化（静圧変化）は、検出端部１２（１２Ａ〜１２Ｄ）を建造物近傍の屋外に設置し、中間部１３（１３Ａ，１３Ｂ）および接続端部１４を屋内に設置するとともに、接続端部１４に微差圧計（検出機器２９）を設置して測定した。図１１，１２から分かるように、中空管１１を利用した場合では、中空管１１を利用しない場合と比較し、中空管１１内部の静圧の振幅変動が小さく、静圧の周期が長くなっている。したがって、中空管１１を利用することによって、気圧の変動に対して中空管１１内部の静圧を確実に安定化させることができ、計測した基準圧の不規則かつ急激な変化を確実に防ぐことができる。
【符号の説明】
【０１０１】
１０Ａ〜１０Ｈ  基準圧計測補助具
１１    中空管
１２    検出端部
１２Ａ  検出端部
１２Ｂ  検出端部
１２Ｃ  検出端部
１２Ｄ  検出端部
１３    中間部
１３Ａ  中間部
１３Ｂ  中間部
１４    接続端部
１５    周側面
１６    空気第１出入口
１７    閉塞先端
１８    周側面
１９Ａ  空気第１出入口
１９Ｂ  空気第１出入口
２０    内周面
２１    筐体
２８    空気流通窓
２９    検出機器
【図１】
0005925439.tif 000002
【図２】
0005925439.tif 000003
【図３】
0005925439.tif 000004
【図４】
0005925439.tif 000005
【図５】
0005925439.tif 000006
【図６】
0005925439.tif 000007
【図７】
0005925439.tif 000008
【図８】
0005925439.tif 000009
【図９】
0005925439.tif 000010
【図１０】
0005925439.tif 000011
【図１１】
0005925439.tif 000012
【図１２】
0005925439.tif 000013